(57)【特許請求の範囲】
【請求項１】
上縁外周に外側へ水平に突出してフランジ部が一体形成され、該フランジ部の外側で下方側へ垂下して前垂れ片が一体形成されてなる浴槽の前記フランジ部の裏面側に上部金具を固設し、エプロンの下端側を下部金具に上下動可能に係止してから該エプロンの上端側を前記上部金具に嵌合係止させて、該エプロンを浴槽に着脱可能に取り付ける、水切用段部が形成された浴槽エプロンの固定構造において、
前記エプロンの上端には、前記上部金具側へ折曲された折曲片が形成され、該折曲片には、上方へ立ち上がった水切用の段部と、上部金具に嵌合係止される係止片とが設けられ、前記エプロンの上端と前記水切用段部との距離が確保されるように前記折曲片は延出形成され、前記係止片は前記水切用段部の先端側に一体状に立ち上げ形成されて構成されているとともに、
前記上部金具は、前記エプロンの係止片が嵌合係止される弾性片と、エプロンの係止片を弾性片側へ導くガイド片と、エプロンの係止片が弾性片に係止された状態でエプロンの自重を支える水平な支持片を備えており、
前記エプロンの上端側を前記上部金具に嵌合係止させた状態では、該エプロンの下端側は前記下部金具より僅かに浮き上がった状態となるように構成した
ことを特徴とする水切用段部が形成された浴槽エプロンの固定構造。
【発明の詳細な説明】
【０００１】
【産業上の利用分野】
この発明は、浴槽エプロンの固定構造に関するものである。
【０００２】
【従来の技術及びその課題】
従来、図９に分解図で示すように、浴槽１の上端には外側へ略水平に突出してフランジ部２が形成され、フランジ部２の先端に下方側へ垂下状に前垂れ片３が形成されており、浴槽１の底側に設けられた脚４の洗い場側に支持金具５１を取り付けておき、一方、エプロン５の下端には係合金具５２を取り付けておき、エプロン５の上端を浴槽１のフランジ部２の下面側に差し込んで、その状態で洗い場側から浴槽１側に向かってエプロン５の下端側を移動させて、支持金具５１に対し係合金具５２を嵌め込むことにより、図１０に示すように、浴槽１の洗い場側にエプロン５を立設状に固定している。
このような従来のエプロンの固定構造においては、洗い場側に障害物等が存在し、障害物とエプロン５との間の隙間が小さい現場では、エプロン５の下端側を前後方向に移動させるスペースがなく、エプロン５の着脱が困難となるという問題点があった。
【０００３】
【課題を解決するための手段】
本発明は上記従来の問題点に鑑み案出したものであって、エプロン手前の隙間が小さい現場でも、エプロンを容易に着脱できる浴槽エプロンの固定構造を提供せんことを目的とし、その要旨は、上縁外周に外側へ水平に突出してフランジ部が一体形成され、該フランジ部の外側で下方側へ垂下して前垂れ片が一体形成されてなる浴槽の前記フランジ部の裏面側に上部金具を固設し、エプロンの下端側を下部金具に上下動可能に係止してから該エプロンの上端側を前記上部金具に嵌合係止させて、該エプロンを浴槽に着脱可能に取り付ける、水切用段部が形成された浴槽エプロンの固定構造において、前記エプロンの上端には、前記上部金具側へ折曲された折曲片が形成され、該折曲片には、上方へ立ち上がった水切用の段部と、上部金具に嵌合係止される係止片とが設けられ、前記エプロンの上端と前記水切用段部との距離が確保されるように前記折曲片は延出形成され、前記係止片は前記水切用段部の先端側に一体状に立ち上げ形成されて構成されているとともに、前記上部金具は、前記エプロンの係止片が嵌合係止される弾性片と、エプロンの係止片を弾性片側へ導くガイド片と、エプロンの係止片が弾性片に係止された状態でエプロンの自重を支える水平な支持片を備えており、前記エプロンの上端側を前記上部金具に嵌合係止させた状態では、該エプロンの下端側は前記下部金具より僅かに浮き上がった状態となるように構成したことである。
【０００４】
【実施例】
以下、本発明の実施例を図面に基づいて説明する。
図１は、浴槽の正面半断面構成図であり、また図２は、浴槽の平面構成図である。
【０００５】
浴槽の上縁外周には外側へ水平に突出してフランジ部２が一体形成され、フランジ部２の外側で下方側へ垂下して前垂れ片３が一体形成されて、このフランジ部２の裏面には、補強リブ６，６，６，６が一体形成されており、また、補強リブ６，６とともに、図２に示すように、フランジ部の裏面側に位置規制リブ８，８，８が垂下状に一体形成されたものとなっている。なお、補強リブ６及び位置規制リブ８を一体形成したことにより、フランジ部２の成形がしやすく、また、強度が確保されたものとなっている。
また、浴槽１の底側には足部４，４が設けられている。
【０００６】
このような浴槽１のフランジ部２の裏面側の前記一対の補強リブ６，６間に、図３の斜視図で示すような上部金具１０が固定されるものである。
即ち、上部金具１０は、両端側に孔１１ａ，１１ａを有する固定用上片１１と、この固定用上片１１の奥側で折り曲げて垂下状をなす垂下片１２と、垂下片１２の下端から前方側へ水平に折り曲げ形成された支持片１３と、支持片１３の前端に下方側へ傾斜して一体形成されたガイド片１４を有し、この固定用上片１１，垂下片１２，支持片１３，ガイド片１４は、エプロンの自重を支える程度の相当の肉厚に形成されたものである。
【０００７】
前記垂下片１２には、弾性片１５の後端部が固設されており、弾性片１５は、固定用上片１１の下方に隙間をおいて平行状に前方側へ延びて、弾性片１５の前端側には、下方側へくの字状に突出する嵌合係止部１５ａが一体形成されており、さらに嵌合係止部１５ａの前端に、上傾状の上傾部１５ｂが一体形成されたものとなっている。
この上部金具１０をフランジ部２の裏面側に固定した状態の平面拡大構成図を図４に示し、また図５では、固定状態の側面拡大断面図を示す。また図６では、上部金具１０の固定状態を破断した斜視図で示す。
【０００８】
即ち、下方側よりビス２５，２５をそれぞれ固定用上片１１の孔１１ａ，１１ａ内に通し、ビス２５，２５を、各補強リブ６に一体形成されたボス部７の孔７ａ内にネジ込んで、ボス部７にビス２５を介し強固に上部金具１０を固定して取り付けることができるものである。
ビス２５は下方側より容易にドライバーでネジ込むことができ、また、浴槽１を反転させれば極めて容易にビス２５でボス部７に上部金具１０を固定できるものである。従って接着等が不要で、強固にフランジ部２の裏面側に上部金具１０を固定しておくことができるものである。
【０００９】
また、浴槽１の足部４，４には、それぞれ図７及び図８に示すような下部金具１６，１６を固設しておく。
即ち、下部金具１６は、平板状の延出片１７の先端に、９０°折曲してビス孔１８ａ，１８ａを有する固定片１８が一体形成され、延出片１７の他端側には、上方へ立設状に棒状の係止突部１９が設けられており、ビスで浴槽の足部４に固定片１８を固定させ、延出片１７を洗い場側へ突出状にして、予め下部金具１６を固定しておくことができる。
【００１０】
一方、エプロン２０は、その上端に略９０°折り曲げて水平状に折曲片２１が一体形成されており、この折曲片２１には、上方へ立ち上げ状に水切用段部２２が一体形成され、水切用段部２２の先端側に係止片２３が一体状に立ち上げ形成されたものとなっている。
また、エプロン２０の下端には、折曲片２１と略平行状に裏側へ折り曲げて係合片２４が一体形成されており、この係合片２４には、前記係止突部１９が遊挿可能な通し孔２４ａが貫通形成されている。
【００１１】
このようなエプロン２０は、下端の係合片２４の通し孔２４ａと下部金具１６の係止突部１９を整合させて、通し孔２４ａ内に係止突部１９を遊挿させて、先ず下部金具１６に係合片２４を係合させる。
その状態で、エプロン２０の上端側の折曲片２１を、浴槽１のフランジ部２の裏面側へ向けて押圧状に差し込むと、係止片２３が、上部金具１０のガイド片１４にガイドされて支持片１３上に導かれ、係止片２３が上部金具１０の弾性片１５の嵌合係止部１５ａを乗り越えることにより、嵌合係止片１５ａの裏側に係止片２３が嵌合状に係止されることとなり、この状態で、弾性片１５の弾性により強固に係止片２３が支持片１３側に押圧された状態で固定状態となる。
【００１２】
このように、エプロン２０は、先ず下部金具１６に下端側を係止させておき、その状態でエプロン２０の上端側を浴槽１側へ押圧することにより、容易にエプロン２０の係止片２３を上部金具１０に嵌合係止させてワンタッチで取り付けることができ、別の嵌合部材を用いることなく、強固にエプロン２０の上端を上部金具１０に固定できるものとなる。
この固定状態では、エプロン２０の自重は、上部金具１０の支持片１３に支持されることとなり、エプロン２０の下端側は僅かに浮き上がった状態となり、下部金具１６にはエプロン２０の自重が掛からないものであり、下部金具１６は薄肉状に形成しておくことができる。
即ち、上部金具１０にエプロン２０の上端側が嵌合係止される時に、エプロン２０の下端側が上方へ移動できるように、エプロン２０の係合片２４の通し孔２４ａ内に係止突部１９が上下動可能に遊挿されるのである。
【００１３】
なお、図８に示すように、エプロン２０の上端が上部金具１０に固定された状態では、エプロン２０の係止片２３が、位置規制リブ８，８，８にほぼ当接状態となり、この状態では、位置規制リブ８，８，８に規制されてエプロン２０の上端側は奥側へ移動することができない状態となる。従って、エプロン２０の前面に浴槽１側への荷重が掛かった時にもエプロン２０が移動することがなく、強固に支持されるものとなる。
【００１４】
なお、エプロン２０の折曲片２１の上面は、前垂れ片３の下端にほぼ当接状態となり、水がフランジ部２の裏側に侵入しない構造となるが、さらに本例では、上方へ立ち上げ状に水切用段部２２が形成されているため、水がフランジ部２の裏側に侵入した場合でも、水を良好に洗い場側へ戻すことができ、水の侵入を良好にこの水切用段部２２で防止できるものとなる。
【００１５】
なお、エプロン２０が上部金具１０に固定された状態において、折曲片２１が前垂れ片３よりも相当奥側へ延出されるように、図５にａで示す折曲片２１の距離が確保されており、この距離ａは、エプロン２０の上端を洗い場側へ引っ張って取り外す時に、水切用段部２２が前垂れ片３の裏面に当接することがなく、エプロン２０を良好に取り外せるように設定されたものである。
なお、取り外す際には、エプロン２０の係止片２３が弾性片１５の嵌合係止部１５ａを上方へ押し上げ、良好にエプロン２０の上端を洗い場側へ外すことができるものであり、その状態でエプロン２０を上方へ持ち上げて、下部金具１６からエプロンの下端を外して、良好にエプロン２０を取り外すことができるものである。
【００１６】
【発明の効果】
本発明は、上縁外周に外側へ水平に突出してフランジ部が一体形成され、該フランジ部の外側で下方側へ垂下して前垂れ片が一体形成されてなる浴槽の前記フランジ部の裏面側に上部金具を固設し、エプロンの下端側を下部金具に上下動可能に係止してから該エプロンの上端側を前記上部金具に嵌合係止させて、該エプロンを浴槽に着脱可能に取り付ける、水切用段部が形成された浴槽エプロンの固定構造において、前記エプロンの上端には、前記上部金具側へ折曲された折曲片が形成され、該折曲片には、上方へ立ち上がった水切用の段部と、上部金具に嵌合係止される係止片とが設けられ、前記エプロンの上端と前記水切用段部との距離が確保されるように前記折曲片は延出形成され、前記係止片は前記水切用段部の先端側に一体状に立ち上げ形成されて構成されているとともに、前記上部金具は、前記エプロンの係止片が嵌合係止される弾性片と、エプロンの係止片を弾性片側へ導くガイド片と、エプロンの係止片が弾性片に係止された状態でエプロンの自重を支える水平な支持片を備えており、前記エプロンの上端側を前記上部金具に嵌合係止させた状態では、該エプロンの下端側は前記下部金具より僅かに浮き上がった状態となるように構成したことにより、水切用段部がエプロンに形成されているため、浴槽フランジの裏面側に水が入りにくくなり、また、エプロンに係止片が一体形成されていれば、別に嵌合部材を設ける必要がなく、良好にエプロンの上端側を上部金具に取り付け固定できるものとなる。
また、エプロンの上端側をガイド片にガイドさせて、良好にエプロンの係止片を弾性片に嵌合させることができ、嵌合状態では、エプロンの自重が上部金具の支持片で支持されるため、エプロンの下部で自重を支える必要がなく、下部金具は強固なものを用いる必要がなくなる。
【図面の簡単な説明】
【図１】  浴槽の正面半断面構成図である。
【図２】  浴槽の平面構成図である。
【図３】  上部金具の斜視構成図である。
【図４】  上部金具を浴槽のフランジの裏面に固定した状態の平面構成図である。
【図５】  上部金具の固定状態の側面断面構成図である。
【図６】  上部金具の固定状態とエプロンの上端の固定状態を示す一部破断斜視構成図である。
【図７】  エプロンと下部金具の分解斜視図である。
【図８】  エプロンの取付状態の縦断面構成図である。
【図９】  従来のエプロンを浴槽に取り付ける前の分解断面図である。
【図１０】  従来のエプロンの取付状態の縦断面構成図である。
【符号の説明】
１  浴槽
２  フランジ部
３  前垂れ片
４  足部
６  補強リブ
７  ボス部
８  位置規制リブ
１０  上部金具
１１  固定用上片
１１ａ  孔
１２  垂下片
１３  支持片
１４  ガイド片
１５  弾性片
１５ａ  嵌合係止部
１５ｂ  上傾部
１６  下部金具
１７  延出片
１８  固定片
１９  係止突部
２０  エプロン
２１  折曲片
２２  水切用段部
２３  係止片
２４  係合片
２４ａ  通し孔
２５  ビス
【図１】
0004197896.tif 000002
【図２】
0004197896.tif 000003
【図３】
0004197896.tif 000004
【図４】
0004197896.tif 000005
【図５】
0004197896.tif 000006
【図６】
0004197896.tif 000007
【図７】
0004197896.tif 000008
【図８】
0004197896.tif 000009
【図９】
0004197896.tif 000010
【図１０】
0004197896.tif 000011